(57)【要約】【課題】従来のカメラ付き携帯端末は、片手で操作できるよう縦長の筐体であって撮像アングルも表示画面も縦長であるため、横長アングルで撮影する場合、携帯端末を横に傾けて使用する必要があった。このとき、片手で携帯端末を横に傾け撮影の操作入力をすると握りが不安定となり、操作中に誤って握りが緩み携帯端末を落としてしまうという危険性があった。【解決手段】小型カメラと縦長表示画面からなる撮像表示手段を備えた縦長の携帯端末装置であって、前記撮像表示手段のカメラと表示画面が同時に９０度回転し横配置できる回転軸で連結した回転連結手段を備え、回転軸の中心にカメラの光軸中心と表示の中心が一致し、回転軸が９０度回転すると一旦回転軸の角度が固定される回転留めを備えたことを特徴とする。【選択図】  図１
2004356975.tif 000002
【特許請求の範囲】
【請求項１】
カメラと、矩形の表示部とを有する第１のケースと、第２のケースと、
前記第１のケースと第２のケースとを連結し、前記表示部を縦長から横長に、またはこの逆に前記カメラと一体的に回転する回転手段と、を有することを特徴とする携帯端末装置。
【請求項２】
前記回転手段の回転軸はカメラの光軸中心と前記表示部中心とを一致させた位置に設けられたことを特徴とする請求項１記載の携帯端末装置。
【請求項３】
前記回転手段は縦長から横長に回転すると一旦回転軸の角度が固定される回転止めを備えたことを特徴とする請求項１及び２記載の携帯端末装置。
【請求項４】
前記回転手段において縦長と横長の回転を判定するセンサを設け、前記携帯端末装置が横長画像を受信し、前記センサが横長の回転を判定すると、前記横長画像を横長になった前記表示部へ表示する信号処理手段を備えたことを特徴とする請求項１、２及び３記載の携帯端末装置。
【発明の詳細な説明】
【０００１】
【発明の属する技術分野】
本発明はカメラを備えた携帯端末装置に係り、特にカメラ撮像部分と表示画面部分とが連動して回転する機能を備えた携帯端末装置に関する。
【０００２】
【従来の技術】
携帯電話等の携帯端末装置の多くは、片手で持って操作できるように横幅の長さを抑えた縦長の筐体に、縦長の液晶画面の表示部分とキーボタンなどの入力操作部分を備えている。また、最近では携帯端末装置にカメラを備えたものが増え、カメラが携帯端末の正面あるいは背面のどちらか一方あるいは正面と背面の両方、あるいはヒンジ部分にカメラを収納した収納体を設けカメラの向きを回転できるようにして携帯端末の正面側と背面側の被写体を一つのカメラで撮影できるようにしたものもある（例えば特許文献１参照）。
【０００３】
また、携帯端末の表示画面については、例えば、横長アングルの画像は縦長の液晶画面を９０度回転して横長表示する方法がある（例えば特許文献２参照）。
【０００４】
【特許文献１】
特開平１１−６９２１４号公報（図２）
【特許文献２】
特開２００１−１５６８９３号公報（図２）
【０００５】
【発明が解決しようとする課題】
しかしながら、上記のカメラ付携帯端末では通常の使用ではカメラの撮像アングルは縦長でそれを表示する液晶画面の表示部分も縦長であるため、横長アングルの撮影で表示する場合には携帯端末を横に傾け撮影する必要があった。この場合、片手で携帯端末を横に傾け撮影の操作入力をすると握りが不安定となり、操作中に誤って握りが緩み携帯端末を落としてしまうという危険性があった。このため、携帯端末を横に傾けることなく縦長のままの握りで横長アングルの撮影ができる方が望ましい。
【０００６】
また、携帯端末の表示画面については、例えば、横長アングルの画像は縦長の液晶画面を９０度回転して横長表示する方法では、カメラ付携帯端末を考慮した場合、カメラの撮影アングルとその表示画面とが連携していないとユーザーは表示画面を傾けてもカメラは傾かないことから非常に撮影に不便であるという課題がある。
【０００７】
本発明の目的は、かかる課題を解消し横長アングル撮影と横長表示を容易かつ安全に実行できる携帯端末装置を提供することにある。
【０００８】
【課題を解決するための手段】
上記目的を達成するため、本発明の携帯端末装置は、カメラと、矩形の表示部とを有する第１のケースと、第２のケースと、前記第１のケースと第２のケースとを連結し、前記表示部を縦長から横長に、またはこの逆に前記カメラと一体的に回転する回転手段とを有することを特徴とする。
【０００９】
また、本発明の携帯端末装置は、前記回転手段の回転軸はカメラの光軸中心と前記表示部中心とを一致させた位置に設けられたことを特徴とする。
【００１０】
さらに、前記回転手段は縦長から横長に回転すると一旦回転軸の角度が固定される回転止めを備えたことを特徴とする。
【００１１】
また、本発明の携帯端末装置は、前記回転手段において縦長と横長の回転を判定するセンサを設け、前記携帯端末装置が横長画像を受信し、前記センサが横長の回転を判定すると、前記横長画像を横長になった前記表示部へ表示する信号処理手段を備えたことを特徴とする。
【００１２】
このように、カメラと表示部が同一回転軸で連結された構成にすることにより、カメラと表示画面を同時に回転させることが可能となり、カメラ撮影の縦アングルと横アングルと表示画面の縦横配置を連動させて使用できるため、携帯端末を横に傾けることなく縦長のままの握りで横長アングルの撮影をすることが可能となる。また、表示部を横に傾けることで受信した横長画像をより広くより大きく表示することができる。
【００１３】
【発明の実施の形態】
以下、本発明の実施形態を図面を用いて説明する。図１は本発明による携帯端末装置の一実施形態を示す構成図であって、図１（ａ）は通常使用の縦配置の状態を示し、図１（ｂ）は図１（ａ）の表示部とカメラレンズを９０度反時計回りに回転させた横配置の状態を示す。
【００１４】
図１（ａ）においてそれぞれ（ａ１）は正面図、（ａ２）は側面図、（ａ３）は背面図である。また、図１（ｂ）においてそれぞれ（ｂ１）は正面図、（ｂ２）は側面図、（ｂ３）は背面図である。また、図１において、１は上ケース、２は下ケース、３は連結部、４は表示部、５は操作部、６は回転軸支持部、７は回転軸、８はレンズ収納体、９はカメラレンズ、１０は回転留め、１１は操作ボタン、１２はアンテナ、１３は回転リセットボタンである。
【００１５】
上ケース１に嵌め込まれた液晶画面の表示部４とレンズ収納体８に嵌め込まれたカメラレンズ９は、同一の回転軸７によって連結されている。また、回転軸７の中心は表示部４の液晶画面の中心とカメラレンズ９の光軸の中心と一致している。
【００１６】
表示部４を含む上ケース１とカメラレンズ９を含むレンズ収納体８は回転軸７によって回転支持部６を土台として回転できるように構成されている。また、上ケース１、回転支持部６はヒンジの連結部３によって下ケース２とノートのように閉じたり開いたりすることができるようになっている。
【００１７】
回転留め１０は、回転軸７の回転を通常の縦配置から９０度回転した横配置したとき一旦固定させるようになっており、表示部４を含む上ケース１とカメラレンズ９を含むレンズ収納体８は通常の縦配置から９０度回転した横配置で固定される。横配置においてアンテナは表示部４より突出することはない。
【００１８】
回転リセットボタン１３は回転留め１０の留めを解除するボタンであり、前記回転留め１０で固定された回転軸７を元の通常縦配置へ戻し、表示部４を含む上ケース１とカメラレンズ９を含むレンズ収納体８を９０度回転した横配置から通常の縦配置に戻す。
【００１９】
下ケース２は、電話、電子メール、カメラ撮影などの入力操作を行う操作部５や図には記していないが下ケース２には電池や通信機能および操作入出系インタフェースの機能を実現するＬＳＩの電子デバイスが内蔵されている。また、上ケースには液晶駆動装置や撮像系センサからの映像信号を処理するＬＳＩ、メモリなどが内蔵されている。
【００２０】
操作部５は、番号、文字、操作実行などの操作ボタン１１からなる。
【００２１】
回転軸７の固定と解除の構成を図２および図３を用いて説明する。図２は、図１におけるカメラレンズと表示部が同時に回転する仕組みを説明した図であり、図３はカメラレンズと表示部の回転推移と回転留めに関する仕組みを説明した図である。なお、図２と図３において１から１３は図１のそれらと同一である。
【００２２】
図２（ａ１）は、図１の背面部にある回転支持部６に含まれる構成部分を横にして拡大した図である。同じく図２（ａ２）は、回転軸７で連結されたレンズ収納体８（カメラレンズ９を含む）と表示部４の側面の断面を拡大した図である。また、図２（ｂ１）と図２（ｃ１）は、図２（ａ１）を図２（ａ２）のラインＨの位置で水平に切断した場合の断面を上から見たものであり、図２（ｂ１）はカメラレンズ９と表示部４が通常の縦配置状態の断面図、図２（ｃ１）はカメラレンズ９と表示部４が９０度回転した横配置状態の断面図である。
【００２３】
また、図２（ｂ２）と図２（ｃ２）は、上記図２（ｂ１）と図２（ｃ１）をそれぞれ図中のラインＩの位置で垂直に切断したときの断面図である。
【００２４】
図２（ａ２）において、２１は回転軸復帰バネ、２２は回転留め押えバー、２３は回転リセットボタンバネである。
【００２５】
回転軸復帰バネ２１は回転軸７が外的力で回転させられると元の位置（ここでは縦配置の通常状態）へ戻ろうとするバネである。回転留め押えバー２２は回転リセットボタン１３が押されると回転留め１０を押し下げるバーである。回転リセットボタンバネ２３は回転リセットボタン１３が押されると回転リセットボタンを押す前の元の位置に戻そうとするバネである。
【００２６】
図２の（ｂ１）において２４は回転軸突起である。回転軸突起２４は回転軸７の回転範囲を制限するための突起で、回転突起２４が（ｂ１）の位置にあるときは携帯端末のカメラレンズ９と表示部４が通常の縦配置状態にあることを示す。また、回転突起２４が図２（ｃ１）の位置（回転軸７が９０度回転）へ移動した場合はカメラレンズ９と表示部４が横配置状態にあることを示す。このとき、回転軸７は復帰回転バネ２１によって元の縦位置配置に戻ろうとするが、回転留め１０で復帰回転が留められ９０度回転した横配置状態に固定される。
【００２７】
図２の（ｂ２）において、２５は回転留め回転軸、２６は回転留め復帰バネである。回転留め回転軸２５は回転留め１０を傾けさせる回転軸で、他から押されると直立の通常状態から一方方向のみに回転し、回転した後は元の直立状態に戻る復帰回転バネを仕込んだ回転留め回転軸である。回転留め復帰バネ２６は回転留め１０が回転留め押えバー２２で押された場合（ここでは下方）、回転留め１０を押す前の元の位置（ここでは上方）へ戻そうとする復帰回転留めバネである。
【００２８】
図３の上段（ｂ１）、（ｃ１）、（ｄ１）、（ｅ１）は表示部４を含む上ケース１とカメラレンズ９を含むレンズ収納体８が回転していく状態を示した図である。図３（ｂ１）は通常の縦配置状態、図３（ｃ１）は前記縦配置から横配置へ回転していく途中状態、図３（ｄ１）は９０度回転させた横配置状態、図３（ｅ１）は前記横配置から元の縦配置へ戻ろうとしている状態を示す。
【００２９】
図３の中段（ｂ２）、（ｃ２）、（ｄ２）、（ｅ２）は図３（ａ）の二点鎖線枠Ｊの部分を拡大したもので、前記図３の上段（ｂ１）、（ｃ１）、（ｄ１）、（ｅ１）にそれぞれ対応させて示してある。また、図３の下段（ｂ３）、（ｃ３）、（ｄ３）、（ｅ３）は図３の一点鎖線Ｋの断面を拡大した図で、同様に図３の上段（ｂ１）、（ｃ１）、（ｄ１）、（ｅ１）にそれぞれ対応させて示してある。
【００３０】
表示部４を含む上ケース１とカメラレンズ９を含むレンズ収納体８が、図３（ｂ１）のような通常の縦配置の状態では、図３（ｂ２）および図３（ｂ３）に示すように回転軸７は復帰回転バネ２１の力で縦配置の状態（回転角度ゼロ）を保持しようとする。
【００３１】
表示部４を含む上ケース１とカメラレンズ９を含むレンズ収納体８が、図３（ｃ１）のような状態では、図３（ｃ２）および図３（ｃ３）に示すように回転軸７の回転軸突起２４が回転留め１０のヘッドに触れ、触れると同時に回転留め１０は回転留め１０の回転留め回転軸２５を軸にして倒れ（回転し）、回転軸突起２４が回転留め１０を通過する。
【００３２】
表示部４を含む上ケース１とカメラレンズ９を含むレンズ収納体８が、図３（ｄ１）のように９０度回転した横配置の状態では、図３（ｄ２）および図３（ｄ３）に示すように回転留め１０は回転留め回転軸２５に備え付けられた復帰バネで元の直立状態に戻り、回転軸突起２４が元の縦配置の位置に戻らないようにブロックする。回転軸７は９０度回転した横配置の状態で一旦固定される。
【００３３】
表示部４を含む上ケース１とカメラレンズ９を含むレンズ収納体８が、図３（ｅ１）のような状態では、図３（ｅ２）および図３（ｅ３）に示すように回転リセットボタン１３が押され、それと同時に回転留め押えバー２２が押され、回転留め１０が押し下げられる。これによって回転留め１０のブロックが解除され、回転軸突起２４は復帰回転バネ２１の力によって図３（ｂ１）の通常の縦配置の位置へ戻る。
【００３４】
次に、上記実施形態における動作について説明する。いま、図１（ａ）に示すように、上ケース１と下ケース２が開いた状態で電源が入っているとする。人がこの携帯端末を片手で下ケース２を握るように持っていて、携帯端末のカメラレンズ９に面した向こう側にある被写体を撮影しようとしている状態を例にとるとしよう。
【００３５】
まず、被写体を通常の縦配置（縦アングル）で撮影する場合、被写体から見て携帯端末は図３（ｂ１）に示すように、表示部４を含む上ケース１とカメラレンズ９を含むレンズ収納体８が回転支持部６に対して縦配置の状態になっている。
【００３６】
このとき、表示部４とカメラレンズ９を連結する回転軸７の回転軸突起２４は、図２（ｂ１）および図３（ｂ３）の状態にある。また、回転軸７は通常の縦配置に常に戻ろうとする回転軸復帰バネ２１によって縦配置状態を維持している。また、そのとき回転留め１０は直立の状態にある。この通常の縦配置において、人は操作部５にある撮影用の操作ボタンを押すことで通常の縦アングルの画像を撮影することができる。
【００３７】
次に、被写体を横配置（横アングル）で撮影しようとして、人は携帯端末の上ケース１の角を空いているもう一方の手で掴み、図３（ｃ１）に示すように回転させる。図３（ｃ１）では、上ケース１が通常の縦配置と９０度回転した横配置の間のある回転配置状態を示している。それは、ちょうど図３（ｃ３）に示すように回転留め１０が回転軸７の回転軸突起２４で押されている状態である。このとき、回転留め１０は回転軸７の動く方向に倒れる（回転留め回転軸２５を軸に回転する）。その後、回転軸７は回転留め１０の上を通過して９０度回転した横配置状態へ進む。
【００３８】
さらに、上ケース１が図３（ｄ１）に示すように９０度回転したとき、回転軸７の回転軸突起２４は回転留め１０を通過し９０度回転した横配置状態になる。また、回転軸突起２４で倒された（回転留め回転軸２５を軸に回転された）回転留め１０は、図３（ｄ３）に示すように元の直立状態に戻ろうとする復帰回転バネを仕込んだ回転留め回転軸２５によって元の直立状態に戻る。
【００３９】
このとき、回転軸７は回転軸復帰バネ２１によって通常の縦配置状態へ戻ろうと回転しようとする。しかし、すでに直立状態に戻った回転留め１０（一方向のみ回転、図３（ｄ３）では時計回りのみに回転）によって、回転軸７の回転軸突起２４は図２（ｃ１）および図２（ｃ２）に示されるように回転がブロックされる（留められる）。その結果、表示部４とカメラレンズ９は元の縦配置状態へ戻れず横配置状態を維持する。
【００４０】
前記上ケース１が図３（ｄ１）のような状態のとき、携帯端末は図１（ｂ）に示すように表示部４とカメラレンズ９は横配置になっている。携帯端末を操作している人は、表示部４に写った横アングルの被写体を見ながら操作部５にある撮影用ボタンを押す。
【００４１】
上記横アングルの撮影後、表示部４とカメラレンズ９を横配置から通常の縦配置へ戻したい場合（図３（ｅ１）に示すように上ケース１を横配置から通常の縦配置へ回転させた場合）、図１（ａ）、図２（ａ２）および図３（ｅ２）に示す回転リセットボタン１３を押す。回転リセットボタン１３が押されると、回転留め押えバー２２が押されると同時に回転留め押えバー２２と接した回転留め回転軸２５が押される。その結果、回転留め１０が押され（図３（ｅ３）では下方へ沈み）、回転軸突起２４が回転留め１０を通過して回転軸７は回転軸復帰バネ２１によって元の縦配置状態へ戻る。
【００４２】
前記回転軸突起２４が回転留め１０を通過すると、回転留め１０は回転留め押え復帰バネ２６によって元の位置（例えば、図３（ｂ３））に戻る。また、ほぼ同時に回転留め押えバー２２と回転リセットボタン１３が、回転リセットボタンバネ２３によって元の位置（例えば、図３（ｂ２））に戻る。
【００４３】
上記一連の動作によって、本実施形態の携帯端末の表示部４とカメラレンズ９が同時に、縦配置（縦アングル）あるいは横配置（横アングル）に選択切換可能になる。
【００４４】
このようにカメラ機能と表示機能を縦アングルないしは横アングルに選択切り換えした後、人がカメラ撮影のシャッターボタンを押すと、カメラレンズ９を通った入射光は電気信号に変換され縦配置あるいは横配置の表示部４に表示される。この場合の仕組みを、図４を用いて簡単に説明する。
【００４５】
図４の（ａ１）において、４と９は上記で示した表示部とカメラレンズである。３１は光信号を電気信号に変換するＣＣＤやＣＭＯＳのセンサである。３２は、電気信号に変換された信号を画像信号として処理し表示部４へ信号を出力する信号制御回路である。
【００４６】
図４の（ａ２）は、信号制御回路３２のサブ構成を示す。４１は信号処理回路で、センサ３１からの電気信号を画像信号として整列し色変換する回路である。また画像信号をリサイズ（解像度変換）したりトリミングしたりする。４２はメモリで、信号処理回路４１からの信号を蓄積する。また蓄積した信号を信号処理回路４１や表示駆動回路４３へ供給する。４３は表示駆動回路で表示部４へ出力する信号を制御する。
【００４７】
上記構成によって、カメラレンズ９に通った入射光はセンサ３１によって電気信号に変換される。変換された電気信号は信号処理回路４１に供給され、画像信号として信号の整列、色変換処理、リサイズ、あるいはトリミングなどの処理をする。処理された信号はメモリ４２へ蓄積される。メモリ４２に蓄積された画像信号は再び信号処理するために信号処理回路４１へ供給される場合もある。またメモリ４２に蓄積された信号は表示駆動回路４３へ供給される。表示駆動回路４３では信号処理された画像信号を表示部４の走査にあわせて駆動制御し表示部４へ出力する。表示部４では表示駆動回路４３で駆動制御された信号を受け走査に従い表示部へ表示する。
【００４８】
このようにカメラ機能と表示機能が同時に回転し縦横アングル／縦横配置を一致させることで、縦横の切り換えをしても図４の（ｂ１）と（ｂ２）に示すように、カメラ側のセンサ３１の走査順と表示側の表示部４の走査順が常に同一で走査変換する必要がない。なお図４（ｂ１）は縦配置表示と縦アングルの場合の表示部とセンサの走査順の１例を示したものであり、図４（ｂ２）は横配置表示と横アングルの場合の表示部とセンサの走査順の１例を示したものである。また図４（ｂ１）及び（ｂ２）ともに左図に表示部４の走査、右図にセンサ３１の走査を示している。
【００４９】
縦アングルあるいは横アングルで撮影された画像は携帯端末の通信機能によって他の携帯端末へ送信される。他方で、他の送信側から送られてきた画像、特に横長の画像を受信した場合、その受信画像を表示する場合の構成について図５を用いて簡単に説明する。
【００５０】
図５の（ａ）は横長のアングルで撮影された画像（静止画あるいは動画）を示している。本発明の携帯端末で上記横長画像を、通常配置の縦配置で受信した場合（図１の（ａ）、あるいは図２の（ｂ１））、縦長の表示部４に表示される画像は図５の（ｂ２）あるいは図５の（ｂ３）のように表示する。また、上記横長画像を、横配置で受信した場合（図１の（ｂ）、あるいは図２の（ｃ１））、横長の表示部４に表示される画像は図５の（ｃ２）のように表示する。
【００５１】
横長画像を上記縦配置あるいは横配置で受信して表示するため、図５の（ｂ１）と図５の（ｃ１）に示すように、図２の（ｂ１）と（ｃ１）で示した回転軸７の回転範囲の両端で回転軸突起２４に接触すると反応する位置センサ５１と５２を設ける。回転軸突起２４が位置センサ５１と５２に接触すると電流が発生しそれぞれの位置を区別する信号を図４の信号制御回路３２の信号処理回路４１へ送る。
【００５２】
すなわち、図５の（ｂ１）に示すように回転突起２４が位置センサ５１に接触した場合、位置センサ５１は表示部が縦配置であることを示す信号を信号処理回路４１へ出力する。信号処理回路４１では、この図には示していないが本携帯端末で受信した横長画像を受けとり、画像の縦横のアスペクト比を判定し、横長画像と判定した場合は、図５の（ｂ２）のような表示部の横幅に受信画像の横幅を合わせるリサイズ処理した画像、あるいは受信した横長画像を図５の（ｂ３）のようなトリミング処理して両端切り画像を生成する。これら生成された画像はメモリ４２、表示駆動回路４３を経て表示部４へ供給される。
【００５３】
他方、図５の（ｃ１）に示すように回転突起２４が位置センサ５２に接触した場合、位置センサ５２は表示部が横配置であることを示す信号を信号処理回路４１へ出力する。信号処理回路４１では、この図には示していないが本携帯端末で受信した横長画像を受けとり、画像の縦横のアスペクト比を判定し、横長画像と判定した場合は、図５の（ｃ２）のような表示部の横幅に受信画像の横幅を合わせるリサイズ処理した画像を生成する。生成された画像はメモリ４２、表示駆動回路４３を経て表示部４へ供給される。
【００５４】
このように、表示部の配置を縦／横に切り換えることで受信した画像の表示を自動的に切り換えることができる。特に、受信した画像が横長であった場合、表示部を横配置に切り換えることで自動的に最適な横長表示にすることができ、受信画像をより広い範囲でより大きく表示することができる。
【００５５】
【発明の効果】
以上説明したように、本発明によれば、縦長の携帯端末装置に小型カメラと薄型縦長表示画面を回転軸で連結させた撮像・表示手段を備えることで、カメラと表示画面を同時に９０度回転させることができ、カメラ撮影の縦アングルと横アングルと表示画面の縦横配置を連動させて使用できるため、携帯端末を握り換えずに安全に撮影できる。
【図面の簡単な説明】
【図１】本発明による携帯端末装置の一実施形態の構成を示す図
【図２】図１に示した実施形態で表示部とカメラレンズが回転する部分の構成を示す拡大図
【図３】図１および図２に示した実施形態で表示部とカメラレンズが回転していく状態を説明した説明図
【図４】本発明の携帯端末装置の信号処理と表示部の走査を示した図
【図５】本発明の携帯端末装置の表示部の表示状態を示した図
【符号の説明】
１    上ケース
２    下ケース
３    連結部
４    表示部
５    操作部
６    回転軸支持部
７    回転軸
８    レンズ収納体
９    カメラレンズ
１０    回転留め
１１    操作ボタン
１２    アンテナ
１３    回転リセットボタン
２１    回転軸復帰バネ
２２    回転軸留め押えバー
２３  回転リセットボタンバネ
２４  回転軸突起
２５  回転留め回転軸
２６  回転留め復帰バネ
【図１】
2004356975.tif 000003
【図２】
2004356975.tif 000004
【図３】
2004356975.tif 000005
【図４】
2004356975.tif 000006
【図５】
2004356975.tif 000007